(57)【要約】【課題】本発明は、ネットワーク上に接続されている機器の設定を自動的に行う管理装置、管理プログラム及び記録媒体に関する。【解決手段】ネットワークシステム１は、サーバＳＶが、ネットワークＮＷ上の機器ＫＭ１〜ＫＭｎを検索して、検出した機器ＫＭ１〜ＫＭｎの機器情報を、機器ＫＭ１〜ＫＭｎに関する機器情報、機器ＫＭ１〜ＫＭｎの管理に必要な管理情報及び該管理情報に対応付けた設定情報の登録される管理データベースに登録するとともに、該検出した機器ＫＭ１〜ＫＭｎの管理情報に基づいて該管理情報に対応する設定情報を該管理データベースから取得して、該検出した機器ＫＭ１〜ＫＭｎに送信して該機器ＫＭ１〜ＫＭｎに該設定情報を登録する。したがって、ネットワークＮＷに接続されている機器ＫＭ１〜ＫＭｎの各種設定を自動的に行うことができる。【選択図】          図１
2008065637.tif 000002
【特許請求の範囲】
【請求項１】
登録されている設定情報に応じて動作する機器の接続されているネットワークに接続され該機器を管理する管理装置であって、機器に関する機器情報、機器の管理に必要な管理情報及び該管理情報に対応付けた前記設定情報の登録される管理情報記憶手段と、前記ネットワーク上の機器を検索する検索手段と、該検索手段の検出した機器から該機器の機器情報及び管理情報を取得し、該取得した機器情報を前記管理情報記憶手段に登録するとともに、該取得した管理情報に基づいて該管理情報に対応する前記設定情報を該管理情報記憶手段から取得して、該取得した設定情報を該検出した機器に送信して該機器に該設定情報を登録する設定情報登録処理を行う制御手段と、を備えていることを特徴とする管理装置。
【請求項２】
登録されている設定情報に応じて動作する機器の接続されているネットワークに接続され該機器を管理する管理装置に搭載される管理プログラムであって、前記ネットワーク上の機器を検索する検索処理ステップと、該検索処理で検出した機器から該機器の機器情報及び管理情報を取得し、該取得した機器情報を、機器に関する機器情報、機器の管理に必要な管理情報及び該管理情報に対応付けた前記設定情報の登録される管理情報記憶手段に登録するとともに、該取得した管理情報に基づいて該管理情報に対応する前記設定情報を該管理情報記憶手段から取得して、該取得した設定情報を該検出した機器に送信して該機器に該設定情報を登録する設定情報登録処理を行う管理処理ステップと、を有することを特徴とする管理プログラム。
【請求項３】
登録されている設定情報に応じて動作する機器の接続されているネットワークに接続され該機器を管理する管理装置であって、機器に関する機器情報、機器の管理に必要な管理情報が該管理情報に基づいてグループ毎に分けられて登録される管理情報記憶手段と、前記ネットワーク上の機器を検索する検索手段と、該検索手段の検出した機器から該機器の機器情報及び前記管理情報を取得し、該取得した機器情報を前記管理情報記憶手段のグループのうち該取得した管理情報に対応するグループに登録する機器登録処理を行う制御手段と、を備えていることを特徴とする管理装置。
【請求項４】
登録されている設定情報に応じて動作する機器の接続されているネットワークに接続され該機器を管理する管理装置に搭載される管理プログラムであって、前記ネットワーク上の機器を検索する検索処理ステップと、該検索処理で検出した機器から該機器の機器情報及び管理情報を取得し、該取得した機器情報を、機器に関する機器情報、機器の管理に必要な管理情報が該管理情報に基づいてグループ毎に分けらて登録される管理情報記憶手段の該グループのうち該取得した管理情報に対応するグループに登録する機器登録処理を行う機器登録処理ステップと、を有することを特徴とする管理プログラム。
【請求項５】
前記管理情報記憶手段は、前記グループに対応する管理情報に対応付けて前記機器に対して設定登録する前記設定情報が登録され、前記管理装置または前記管理プログラムは、前記検索処理で検出した機器から取得した前記管理情報に対応付けられた前記設定情報を該管理情報記憶手段から取得し、該取得した設定情報を前記検出した機器に送信して該機器に該設定情報を登録する設定情報登録処理を行うことを特徴とする請求項３記載の管理装置または請求項４記載の管理プログラム。
【請求項６】
前記管理装置または前記管理プログラムは、前記管理情報記憶手段に既に登録されている機器の管理情報を変更する管理情報変更操作処理が行われると、該変更後の管理情報に対して該管理情報記憶手段に登録されている前記設定情報を取得し、該取得した設定情報を該管理情報の変更された機器に送信して該機器に該設定情報を変更登録する設定情報変更登録処理を行うことを特徴とする請求項１記載の管理装置、請求項２記載の管理プログラムあるいは請求項５記載の管理装置または管理プログラム。
【請求項７】
前記管理装置または前記管理プログラムは、前記管理情報記憶手段に既に登録されている機器の所属するグループを変更するグループ変更操作処理が行われると、該変更後のグループに対して該管理情報記憶手段に登録されている前記設定情報を取得し、該設定情報を該グループの変更された機器に送信して該機器に該設定情報を変更登録する設定情報変更登録処理を行うことを特徴とする請求項５または請求項６記載の管理装置または管理プログラム。
【請求項８】
前記管理装置または前記管理プログラムは、前記管理情報が各機器の前記ネットワーク上の系であることを特徴とする請求項１から請求項７のいずれかに記載の管理装置または管理プログラム。
【請求項９】
前記管理装置または前記管理プログラムは、前記管理情報が各機器の管理者情報であることを特徴とする請求項１から請求項７のいずれかに記載の管理装置または管理プログラム。
【請求項１０】
前記管理装置または前記管理プログラムは、前記管理情報が優先順位の設定されている複数種類の情報からなり、該優先順位の設定されている複数種類の情報に基づいて前記設定情報登録処理または／及び前記機器登録処理を実行することを特徴とする請求項１から請求項９のいずれかに記載の管理装置または管理プログラム。
【請求項１１】
前記管理装置または前記管理プログラムは、前記設定情報登録処理または／及び前記機器登録処理を、それぞれの処理に対する実行の可否の選択結果に応じて処理することを特徴とする請求項１から請求項１０のいずれかに記載の管理装置または管理プログラム。
【請求項１２】
登録されている設定情報に応じて動作する機器の接続されているネットワークに接続され該機器を管理する管理装置に搭載可能な管理プログラムを記録する記録媒体であって、前記管理プログラムとして、請求項２または請求項４から請求項１１のいずれかに記載の管理プログラムを記録することを特徴とする記録媒体。
【発明の詳細な説明】
【技術分野】
【０００１】
本発明は、管理装置、管理プログラム及び記録媒体に関し、詳細には、ネットワーク上の機器の情報に応じて該機器の各種設定を自動的に行なう管理装置、管理プログラム及び記録媒体に関する。
【背景技術】
【０００２】
コンピュータ等のホスト装置とプリンタ装置、スキャナ装置等の画像処理装置（周辺機器）を接続してホスト装置から該画像処理装置を利用するためには、該プリンタ装置に対応したプリンタドライバ、該スキャナ装置に対応したスキャナ用ドライバ及び機器管理ユーティリティ等のソフトウェアをホスト装置にインストールし、該ソフトウェアを使用して画像処理装置を動作させる必要があり、また、画像処理装置の適切な設定、特に、ネットワーク等の通信回線でホスト装置と画像処理装置を接続して使用する場合には、ネットワークを介した通信設定を適切に行う必要がある。
【０００３】
そして、従来、このような画像処理装置用のソフトウェアは、該画像処理装置に同梱されているＣＤ（Compact Disc）等の記録メディアで提供されたり、インターネットを介して画像処理装置の提供会社等のソフトウェア提供装置等からダウンロードすることで入手したソフトウェアを手動でホスト装置にインストールしている。
【０００４】
近時、ネットワーク化が進み、プリンタ装置やスキャナ等の画像処理装置を複数のホスト装置から使用するようになってきており、このような複数のホスト装置からネットワーク上の画像処理装置を使用する場合、各ホスト装置に該画像処理装置に専用のドライバをインストールするだけでなく、各ホスト装置のユーザの意図する使用環境等に合わせて各種設定を行う必要がある。
【０００５】
従来、ネットワーク、スキャナ、ファクシミリ、コピー、プリンタ等のうち少なくとも１つの機能を有する画像入出力装置において、各機能を使用可能とするための設定情報及び設定条件を示す識別子とその値を保持・管理し、設定変更要求に応じて該識別子の値を変更する画像入出力装置が提案されている（特許文献１参照）。
【０００６】
また、従来、ネットワーク上に、階層的な管理情報ベースを有するデバイスが接続されると、該デバイスにアクセスして、その管理情報ベースにおける所定情報を参照することで、その管理情報ベースの種類を認識し、デバイスに対して、その管理情報ベースの種類に従った設定方法でパラメータ設定を行うパラメータ設定システムが提案されている（特許文献２参照）。
【０００７】
【特許文献１】特開２００４−３６３７１０号公報
【特許文献２】特開２０００−３３９２４７号公報
【発明の開示】
【発明が解決しようとする課題】
【０００８】
しかしながら、上記従来技術にあっては、ネットワーク上に接続された機器の設定を簡単かつ効率的なものとする上で、改良の必要があった。
【０００９】
すなわち、上記特許文献１記載の従来技術にあっては、複数の機能を有する場合に、各機能を使用可能とするための設定情報及び設定条件を示す識別子とその値を保持して、外部から識別子の値の変更要求があると、該変更要求に応じて使用する機能を変更しているため、ネットワークに接続された機器の設定を自動的に行うことはできず、機器の設定を簡単かつ効率的なものとする上で、改良の必要があった。
【００１０】
また、特許文献２記載の従来技術にあっては、ネットワーク上に、階層的な管理情報ベースを有するデバイスが接続されると、該デバイスにアクセスして、その管理情報ベースにおける所定情報を参照することで、その管理情報ベースの種類を認識し、デバイスに対して、その管理情報ベースの種類に従った設定方法でパラメータ設定を行っているため、デバイスが設定方法を規定する階層的な管理情報ベースを有している必要があり、コストが高くなり、機器の設定を安価かつ簡単なものとする上で、改良の必要があった。
【００１１】
そこで、本発明は、ネットワークに接続されている機器の各種設定を自動的に行って、利用性の良好な管理装置、管理プログラム及び記録媒体を提供することを目的としている。
【課題を解決するための手段】
【００１２】
請求項１記載の発明の管理装置は、登録されている設定情報に応じて動作する機器の接続されているネットワークに接続され該機器を管理する管理装置であって、機器に関する機器情報、機器の管理に必要な管理情報及び該管理情報に対応付けた前記設定情報の登録される管理情報記憶手段と、前記ネットワーク上の機器を検索する検索手段と、該検索手段の検出した機器から該機器の機器情報及び管理情報を取得し、該取得した機器情報を前記管理情報記憶手段に登録するとともに、該取得した管理情報に基づいて該管理情報に対応する前記設定情報を該管理情報記憶手段から取得して、該取得した設定情報を該検出した機器に送信して該機器に該設定情報を登録する設定情報登録処理を行う制御手段と、を備えていることにより、上記目的を達成している。
【００１３】
請求項２記載の発明の管理プログラムは、登録されている設定情報に応じて動作する機器の接続されているネットワークに接続され該機器を管理する管理装置に搭載される管理プログラムであって、前記ネットワーク上の機器を検索する検索処理ステップと、該検索処理で検出した機器から該機器の機器情報及び管理情報を取得し、該取得した機器情報を、機器に関する機器情報、機器の管理に必要な管理情報及び該管理情報に対応付けた前記設定情報の登録される管理情報記憶手段に登録するとともに、該取得した管理情報に基づいて該管理情報に対応する前記設定情報を該管理情報記憶手段から取得して、該取得した設定情報を該検出した機器に送信して該機器に該設定情報を登録する設定情報登録処理を行う管理処理ステップと、を有することにより、上記目的を達成している。
【００１４】
請求項３記載の管理装置は、登録されている設定情報に応じて動作する機器の接続されているネットワークに接続され該機器を管理する管理装置であって、機器に関する機器情報、機器の管理に必要な管理情報が該管理情報に基づいてグループ毎に分けられて登録される管理情報記憶手段と、前記ネットワーク上の機器を検索する検索手段と、該検索手段の検出した機器から該機器の機器情報及び前記管理情報を取得し、該取得した機器情報を前記管理情報記憶手段のグループのうち該取得した管理情報に対応するグループに登録する機器登録処理を行う制御手段と、を備えていることにより、上記目的を達成している。
【００１５】
請求項４記載の管理プログラムは、登録されている設定情報に応じて動作する機器の接続されているネットワークに接続され該機器を管理する管理装置に搭載される管理プログラムであって、前記ネットワーク上の機器を検索する検索処理ステップと、該検索処理で検出した機器から該機器の機器情報及び管理情報を取得し、該取得した機器情報を、機器に関する機器情報、機器の管理に必要な管理情報が該管理情報に基づいてグループ毎に分けられて登録される管理情報記憶手段の該グループのうち該取得した管理情報に対応するグループに登録する機器登録処理を行う機器登録処理ステップと、を有することにより、上記目的を達成している。
【００１６】
請求項３または請求項４の場合において、例えば、請求項５に記載するように、前記管理情報記憶手段は、前記グループに対応する管理情報に対応付けて前記機器に対して設定登録する前記設定情報が登録され、前記管理装置または前記管理プログラムは、前記検索処理で検出した機器から取得した前記管理情報に対応付けられた前記設定情報を該管理情報記憶手段から取得し、該取得した設定情報を前記検出した機器に送信して該機器に該設定情報を登録する設定情報登録処理を行ってもよい。
【００１７】
また、請求項１記載、請求項２あるいは請求項５の場合において、例えば、請求項６に記載するように、前記管理装置または前記管理プログラムは、前記管理情報記憶手段に既に登録されている機器の管理情報を変更する管理情報変更操作処理が行われると、該変更後の管理情報に対して該管理情報記憶手段に登録されている前記設定情報を取得し、該取得した設定情報を該管理情報の変更された機器に送信して該機器に該設定情報を変更登録する設定情報変更登録処理を行ってもよい。
【００１８】
さらに、請求項５または請求項６の場合、例えば、請求項７に記載するように、前記管理装置または前記管理プログラムは、前記管理情報記憶手段に既に登録されている機器の所属するグループを変更するグループ変更操作処理が行われると、該変更後のグループに対して該管理情報記憶手段に登録されている前記設定情報を取得し、該設定情報を該グループの変更された機器に送信して該機器に該設定情報を変更登録する設定情報変更登録処理を行ってもよい。
【００１９】
また、上記各場合において、例えば、請求項８に記載するように、前記管理装置または前記管理プログラムは、前記管理情報が各機器の前記ネットワーク上の系であってもよい。
【００２０】
さらに、請求項１から請求項７の場合、例えば、請求項９に記載するように、前記管理装置または前記管理プログラムは、前記管理情報が各機器の管理者情報であってもよい。
【００２１】
また、請求項１から請求項９の場合、例えば、請求項１０に記載するように、前記管理装置または前記管理プログラムは、前記管理情報が優先順位の設定されている複数種類の情報からなり、該優先順位の設定されている複数種類の情報に基づいて前記設定情報登録処理または／及び前記機器登録処理を実行してもよい。
【００２２】
さらに、上記各場合において、例えば、請求項１１に記載するように、前記管理装置または前記管理プログラムは、前記設定情報登録処理または／及び前記機器登録処理を、それぞれの処理に対する実行の可否の選択結果に応じて処理してもよい。
【００２３】
請求項１２記載の発明の記録媒体は、登録されている設定情報に応じて動作する機器の接続されているネットワークに接続され該機器を管理する管理装置に搭載可能な管理プログラムを記録する記録媒体であって、前記管理プログラムとして、請求項２または請求項４から請求項１１のいずれかに記載の管理プログラムを記録することにより、上記目的を達成している。
【発明の効果】
【００２４】
本発明によれば、ネットワーク上の機器を検索して、検出した機器の機器情報を、機器に関する機器情報、機器の管理に必要な管理情報及び該管理情報に対応付けた設定情報の登録される管理情報記憶手段に登録するとともに、該検出した機器の管理情報に基づいて該管理情報に対応する設定情報を該管理情報記憶手段から取得して、該検出した機器に送信して該機器に該設定情報を登録するので、ネットワークに接続されている機器の各種設定を自動的に行うことができ、ネットワーク上の各機器の管理を容易なものとすることができるとともに、各機器の利用性を向上させることができる。
【００２５】
また、本発明によれば、ネットワーク上の機器を検索して、検出した機器の機器情報を、機器に関する機器情報、機器の管理に必要な管理情報が該管理情報に基づいてグループ毎に分けられて登録される管理情報記憶手段の該グループのうち該検出した機器の管理情報に対応するグループに登録するので、機器を管理情報に基づいて自動的にグループ分けすることができ、機器の管理を効率的に行うことができる。
【発明を実施するための最良の形態】
【００２６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２７】
図１及び図２は、本発明の管理装置、管理プログラム及び記録媒体の第１実施例を示す図であり、図１は、本発明の管理装置、管理プログラム及び記録媒体の第１実施例を適用したネットワークシステム１のブロック構成図である。
【００２８】
図１において、ネットワークシステム１は、ＬＡＮ（Local Area Network）等のネットワークＮＷにサーバＳＶ及び複数の機器ＫＭ１〜ＫＭｎ等が接続されており、機器ＫＭ１〜ＫＭｎは、例えば、プリンタ装置、複合装置、スキャナ装置等の図示しないホスト装置からネットワークＮＷを介して動作させるためには、ドライバソフトウェア（以下、ドライバという。）を必要とするとともに、ユーザの意図する設定で動作させるには、該各種設定を必要とする機器である。
【００２９】
サーバ（管理装置）ＳＶは、通常のコンピュータ等が用いられ、通常のハード構成を備えている。サーバＳＶは、サーバＳＶとしての基本ソフトウェアが導入されているとともに、ＣＤ（Compact Disc）、ＣＤ−ＲＷ（Compact Disc Rewritable ）、ＤＶＤ（Digital Video Disk）、フレキシブルディスク等の記録媒体に記録されている管理プログラムを読み込ませて導入することで、検索手段及び制御手段を備え、検索処理や設定情報登録処理等の後述する機器管理処理を実行する管理装置として構築される。
【００３０】
また、サーバＳＶは、キーボード、マウス等の入力デバイス及びディスプレイ（例えば、液晶ディスプレイ）やスピーカ等の出力デバイスの入出力部を備えており、機器管理者が、該入出力部を使用して、ネットワークシステム１で管理する対象の機器ＫＭ１〜ＫＭｎの機器情報、特に、機器ＫＭ１〜ＫＭｎの系情報等の管理情報及び管理情報と該機器ＫＭ１〜ＫＭｎの設定情報からなる各種情報の入力操作を行い、また、機器管理処理に必要な各種情報を入出力部のディスプレイに表示する。
【００３１】
サーバＳＶは、入出力部から入力された各種情報、特に、機器ＫＭ１〜ＫＭｎの機器情報、機器ＫＭ１〜ＫＭｎの系情報（管理情報）及び該機器ＫＭ１〜ＫＭｎの設定情報等をハードディスク等の不揮発性メモリ（管理情報記憶手段）に管理データベースとして記憶し、該メモリ内の管理データベースに基づいて機器ＫＭ１〜ＫＭｎの設定状態を管理する機器管理処理を行う。
【００３２】
そして、この機器情報は、例えば、ネットワークＮＷ上の機器ＫＭ１〜ＫＭｎのＩＰアドレス（ＩＰ  Ａｄｒｅｓｓ）、マックアドレス（ＭＡＣ  Ａｄｒｅｓｓ）、モデル名等である。
【００３３】
機器ＫＭ１〜ＫＭｎは、上述のように、プリンタ装置、複合装置、スキャナ装置等のホスト装置ＨＳ１〜ＨＳｎからネットワークＮＷを介して意図する設定状態で動作させるためには、該機器ＫＭ１〜ＫＭｎに設定を行う必要があり、サーバＳＶから送信されてくる設定情報に基づいて設定する機能を備えている。
【００３４】
次に、本実施例の作用を説明する。本実施例のネットワークシステム１は、機器管理者がネットワークの系によってネットワークＮＷ上の機器ＫＭ１〜ＫＭｎを管理する場合に、サーバＳＶが、予めネットワークＮＷ上の機器情報と該機器ＫＭ１〜ＫＭｎのネットワークの系（管理情報）毎の設定情報からなる管理データベースに基づいて、ネットワークＮＷ上の機器ＫＭ１〜ＫＭｎの設定を自動設定する機器管理処理を行う。
【００３５】
すなわち、サーバＳＶは、予めネットワークＮＷ上の全ての相手先にパケットを送るためのブロードキャストアドレスを用いてネットワークＮＷ上の機器ＫＭ１〜ＫＭｎの検索行って、該検索した機器ＫＭ１〜ＫＭｎの機器情報を管理データベースに登録するとともに、予め機器ＫＭ１〜ＫＭｎのネットワークの系と設定情報を対にして管理データベースに登録している状態で、図２に示すように、所定タイミング毎等に、ネットワークＮＷ上の機器ＫＭ１〜ＫＭｎの検索をブロードキャストアドレスを用いて行い、全ての機器ＫＭ１〜ＫＭｎに対して検索して機器ＫＭ１〜ＫＭｎを検出すると（ステップＳ１０１）、該検出した機器ＫＭ１〜ＫＭｎが新規の機器ＫＭ１〜ＫＭｎであるかをチェックする（ステップＳ１０２）。サーバＳＶは、この新規の機器ＫＭ１〜ＫＭｎであるか否かのチェックを、例えば、検出された機器ＫＭ１〜ＫＭｎのマックアドレスと管理データベースに機器情報として登録されているマックアドレスを比較して同じマックアドレスであれば、登録済の機器ＫＭ１〜ＫＭｎであり、異なるマックアドレスであれば、新規の機器ＫＭ１〜ＫＭｎであると判断する。
【００３６】
ステップＳ１０２で、新規の機器ＫＭ１〜ＫＭｎであると、該機器ＫＭ１〜ＫＭｎのＩＰアドレス、マックアドレス、モデル名等の機器情報と管理情報としての系（ネットワーク上の系）を取得して、該機器情報を管理データベースに登録するとともに、該機器ＫＭ１〜ＫＭｎの系を判別し（ステップＳ１０３）、該系に対して管理データベースに登録されている設定情報を読み出して該新たな機器ＫＭ１〜ＫＭｎに対して送信して自動設定し、機器管理処理を終了する（ステップＳ１０４）。
【００３７】
ステップＳ１０１で、検出された機器ＫＭ１〜ＫＭｎが新規の機器ＫＭ１〜ＫＭｎでないときには、サーバＳＶは、該機器ＫＭ１〜ＫＭｎの系が前回の検索時に登録されている系と今回の検索で取得した系との比較を行って、系の変更があるかチェックし（ステップＳ１０５）、系に変更があると、該系に対して管理データベースに登録されている設定情報を読み出して、該系に変更のあった機器ＫＭ１〜ＫＭｎに対して該設定情報を送信することで、変更後の系にあった設定を自動設定して、機器管理処理を終了する（ステップＳ１０６）。
【００３８】
ステップＳ１０５で、検出された機器ＫＭ１〜ＫＭｎの系に変更がないときには、サーバＳＶは、設定の変更を行うことなく、そのまま機器管理処理を終了する。
【００３９】
例えば、ネットワークＮＷの管理者が、８系と１６９系の２つの系を管理しており、８系では、コメントの設定を「８系」とし、１６９系では、「１６９系」としている場合、検出された機器ＫＭ１〜ＫＭｎのＩＰアドレスが１３３．１３９．８．＊であると、コメントの設定を「８系」にし、検出された機器ＫＭ１〜ＫＭｎのＩＰアドレスが１３３．１３９．１６９．＊であると、コメントの設定を「１６９系」に自動設定する。
【００４０】
このように、本実施例のネットワークシステム１は、サーバＳＶが、ネットワークＮＷ上の機器ＫＭ１〜ＫＭｎを検索して、検出した機器ＫＭ１〜ＫＭｎの機器情報を、機器ＫＭ１〜ＫＭｎに関する機器情報、機器ＫＭ１〜ＫＭｎの管理に必要な管理情報としての系及び該系に対応付けた設定情報の登録される管理データベースに登録するとともに、該検出した機器ＫＭ１〜ＫＭｎの系に基づいて該系に対応する設定情報を該管理データベースから取得して、該検出した機器ＫＭ１〜ＫＭｎに送信して該機器ＫＭ１〜ＫＭｎに該設定情報を登録している。
【００４１】
したがって、ネットワークＮＷに接続されている機器ＫＭ１〜ＫＭｎの各種設定を自動的に行うことができ、管理者の負荷を低減させて、ネットワークＮＷ上の各機器ＫＭ１〜ＫＭｎの利用性を向上させることができる。
【００４２】
また、本実施例のネットワークシステム１は、サーバＳＶが、管理データベースに既に登録されている機器ＫＭ１〜ＫＭｎの管理情報である系を変更する管理情報変更操作処理が行われると、該変更後の系に対して該管理データベースに登録されている設定情報を取得し、該取得した設定情報を該系の変更された機器ＫＭ１〜ＫＭｎに送信して該機器ＫＭ１〜ＫＭｎに該設定情報を変更登録している。
【００４３】
したがって、管理情報の変更された機器ＫＭ１〜ＫＭｎに対して、簡単かつ自動的に変更後の設定情報を設定することができ、ネットワークＮＷ上の各機器ＫＭ１〜ＫＭｎの利用性をより一層向上させることができる。  
【００４４】
さらに、本実施例のネットワークシステム１は、管理情報として、各機器ＫＭ１〜ＫＭｎのネットワーク上の系を用いている。
【００４５】
したがって、各機器ＫＭ１〜ＫＭｎを系に基づいて適切かつ効率的に識別して、設定情報を管理することができる。
【実施例２】
【００４６】
図３は、本発明の管理装置、管理プログラム及び記録媒体の第２実施例を適用したネットワークシステムのサーバによる機器管理処理を示すフローチャートである。
【００４７】
なお、本実施例は、上記第１実施例のネットワークシステム１と同様のネットワークシステムに適用したものであり、本実施例の説明においては、必要に応じて、上記第１実施例の説明で用いた符号をそのまま用いて説明する。
【００４８】
本実施例のネットワークシステム１は、機器管理者が管理情報として管理者アカウントを用いてネットワークＮＷ上の機器ＫＭ１〜ＫＭｎを管理する場合に、サーバＳＶが、予めネットワークＮＷ上の機器ＫＭ１〜ＫＭｎの機器情報と該機器ＫＭ１〜ＫＭｎの管理者アカウント（管理情報）毎の設定情報からなる管理データベースに基づいて、ネットワークＮＷ上の機器ＫＭ１〜ＫＭｎの設定を自動設定する機器管理処理を行う。
【００４９】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を管理データベースに登録するとともに、予め機器ＫＭ１〜ＫＭｎの管理者アカウントと設定情報を対にして管理データベースに登録している状態で、図３に示すように、所定タイミング毎等に、ネットワークＮＷ上の機器ＫＭ１〜ＫＭｎの検索をブロードキャストアドレスを用いて行い、全ての機器ＫＭ１〜ＫＭｎに対して検索して機器ＫＭ１〜ＫＭｎを検出すると（ステップＳ２０１）、該検出した機器ＫＭ１〜ＫＭｎが新規の機器ＫＭ１〜ＫＭｎであるかをチェックする（ステップＳ２０２）。
【００５０】
ステップＳ２０２で、新規の機器ＫＭ１〜ＫＭｎであると、サーバＳＶは、該機器ＫＭ１〜ＫＭｎのＩＰアドレス、マックアドレス、モデル名等の機器情報と管理者アカウントを取得して、該機器情報を管理データベースに登録するとともに、該機器ＫＭ１〜ＫＭｎの管理者アカウントを判別し（ステップＳ２０３）、該管理者アカウントに対して管理データベースに登録されている設定情報を読み出して該新たな機器ＫＭ１〜ＫＭｎに対して送信して自動設定して機器管理処理を終了する（ステップＳ２０４）。
【００５１】
ステップＳ２０２で、検出された機器ＫＭ１〜ＫＭｎが新規の機器ＫＭ１〜ＫＭｎではないときには、サーバＳＶは、該機器ＫＭ１〜ＫＭｎの今回の検索で取得した管理者アカウントと前回の検索時に登録されている管理者アカウントとの比較を行って、管理者アカウントの変更があるかチェックし（ステップＳ２０５）、管理者アカウントに変更があると、該変更後の管理者アカウントに対して管理データベースに登録されている設定情報を読み出して、該管理者アカウントに変更のあった機器ＫＭ１〜ＫＭｎに対して該設定情報を送信することで自動設定して、機器管理処理を終了する（ステップＳ２０６）。
【００５２】
ステップＳ２０５で、検出された機器ＫＭ１〜ＫＭｎの管理者アカウントに変更がないときには、サーバＳＶは、設定の変更を行うことなく、そのまま機器管理処理を終了する。
【００５３】
例えば、ネットワークＮＷを、管理者ａと管理者ｂの２人で管理しており、管理者ａでは、コメントの設定を「管理者は、ａです」とし、管理者ｂでは、「管理者は、ｂです」としている場合、検出された機器ＫＭ１〜ＫＭｎの管理者アカウントが管理者ａであると、コメントの設定を「管理者は、ａです」にし、検出された機器ＫＭ１〜ＫＭｎの管理者アカウントが管理者ｂであると、コメントの設定を「管理者は、ｂです」に自動設定する。
【００５４】
このように、本実施例のネットワークシステム１は、サーバＳＶが、ネットワークＮＷ上の機器ＫＭ１〜ＫＭｎを検索して、検出した機器ＫＭ１〜ＫＭｎの機器情報を、管理データベースに登録するとともに、該検出した機器ＫＭ１〜ＫＭｎの管理者アカウント（管理者情報）に基づいて該管理者アカウントに対応する設定情報を該管理データベースから取得して、該検出した機器ＫＭ１〜ＫＭｎに送信して該機器ＫＭ１〜ＫＭｎに該設定情報を登録している。
【００５５】
したがって、ネットワークＮＷに接続されている機器ＫＭ１〜ＫＭｎの各種設定を管理者アカウントに基づいて適切にかつ自動的に行うことができ、管理者の負荷を低減させて、ネットワークＮＷ上の各機器ＫＭ１〜ＫＭｎの利用性を向上させることができる。
【００５６】
なお、上記第１実施例と第２実施例の場合、管理情報としてネットワークの系と管理者アカウントの両方を採用してもよく、この場合、ネットワークの系と管理者アカウントのいずれを優先させるかの優先順位を設定して、該優先順位に基づいて機器の設定を行うようにしてもよい。
【００５７】
この場合、例えば、管理データベースにネットワークの系と管理者アカウントに対応させてそれぞれ設定情報を登録するとともに、ネットワークの系と管理者アカウントのいずれを優先させるかの優先順位を登録する。そして、例えば、８系と１６９系の２つの系を管理しており、８系では、コメントの設定を「８系」、１６９系では、「１６９系」とし、また、ネットワークＮＷを、管理者ａと管理者ｂの２人で管理していて、管理者ａでは、コメントの設定を「管理者は、ａです」、管理者ｂでは、「管理者は、ｂです」とし、管理者アカウントを優先させる設定となっている場合、検索により検出された機器ＫＭ１〜ＫＭｎのＩＰアドレスが１３３．１３９．８．１であり、管理者アカウントが管理者ｂであると、コメントには、「管理者は、ｂです」が設定され、「８系」は設定されない。
【００５８】
このようにすると、ネットワークＮＷに接続されている機器ＫＭ１〜ＫＭｎの各種設定を複数種類の管理情報（上記例では、系と管理者アカウント）に基づいてより一層適切にかつ自動的に行うことができ、管理者の負荷を低減させて、ネットワークＮＷ上の各機器ＫＭ１〜ＫＭｎの利用性を向上させることができる。
【実施例３】
【００５９】
図４は、本発明の管理装置、管理プログラム及び記録媒体の第３実施例を適用したネットワークシステムのサーバによる機器管理処理を示すフローチャートである。
【００６０】
なお、本実施例は、上記第１実施例のネットワークシステム１と同様のネットワークシステムに適用したものであり、本実施例の説明においては、必要に応じて、上記第１実施例の説明で用いた符号をそのまま用いて説明する。
【００６１】
本実施例のネットワークシステム１は、機器管理者がネットワークＮＷ上の機器ＫＭ１〜ＫＭｎをネットワークの系（管理情報）に基づいてグループ分けして管理データベースに登録し、該系に基づいて機器ＫＭ１〜ＫＭｎの設定を自動設定する機器管理処理を行う。
【００６２】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を該機器ＫＭ１〜ＫＭｎのネットワークの系（管理情報）に基づいてグループに分けて管理データベースに登録するとともに、予めグループに対応する系と設定情報を対にして管理データベースに登録している状態で、図４に示すように、所定タイミング毎等に、ネットワークＮＷ上の機器ＫＭ１〜ＫＭｎの検索をブロードキャストアドレスを用いて行い、全ての機器ＫＭ１〜ＫＭｎに対して検索して機器ＫＭ１〜ＫＭｎを検出すると（ステップＳ３０１）、該検出した機器ＫＭ１〜ＫＭｎが新規の機器ＫＭ１〜ＫＭｎであるかをチェックする（ステップＳ３０２）。
【００６３】
ステップＳ３０２で、新規の機器ＫＭ１〜ＫＭｎであると、サーバＳＶは、該機器ＫＭ１〜ＫＭｎのＩＰアドレス、マックアドレス、モデル名等の機器情報と系（ネットワーク上の系）を取得して、該機器ＫＭ１〜ＫＭｎの系を判別し（ステップＳ３０３）、該系に対して管理データベースに登録されているグループに該機器ＫＭ１〜ＫＭｎを自動振り分けして、該機器情報を登録する（ステップＳ３０４）。
【００６４】
次に、サーバＳＶは、該振り分けたグループの系に対して管理データベースに登録されている設定情報を読み出して、該設定情報を該新たな機器ＫＭ１〜ＫＭｎに対して送信して自動設定し、機器管理処理を終了する（ステップＳ３０５）。
【００６５】
ステップＳ３０２で、検出された機器ＫＭ１〜ＫＭｎが新規の機器ＫＭ１〜ＫＭｎでないときには、サーバＳＶは、該機器ＫＭ１〜ＫＭｎの今回の検索で取得した系と前回の検索時に登録されている系との比較を行って、系の変更があるかチェックし（ステップＳ３０６）、系に変更があると、管理データベースに該系に対して登録されているグループに該機器ＫＭ１〜ＫＭｎを自動振り分けして、該機器情報を登録する（ステップＳ３０７）。
【００６６】
次に、サーバＳＶは、該振り分けたグループの系に対して管理データベースに登録されている設定情報を読み出して、該該変更後の系に対応する設定情報を該振り分けた機器ＫＭ１〜ＫＭｎに対して送信して自動設定し、機器管理処理を終了する（ステップＳ３０８）。
【００６７】
ステップＳ３０６で、検出された機器ＫＭ１〜ＫＭｎの系に変更がないときには、サーバＳＶは、設定の変更を行うことなく、そのまま機器管理処理を終了する。
【００６８】
例えば、ネットワークＮＷの管理者が、８系と１６９系の２つの系を管理しており、８系は、グループＡで管理し、１６９系は、グループＢで管理している場合、検出された機器ＫＭ１〜ＫＭｎのＩＰアドレスが１３３．１３９．８．＊であると、その機器ＫＭ１〜ＫＭｎをグループＡに自動的に振り分け、検出された機器ＫＭ１〜ＫＭｎのＩＰアドレスが１３３．１３９．１６９．＊であると、その機器ＫＭ１〜ＫＭｎをグループＢに自動的に振り分ける。
【００６９】
このように、本実施例のネットワークシステム１は、サーバＳＶが、ネットワークＮＷ上の機器ＫＭ１〜ＫＭｎを検索して、検出した機器ＫＭ１〜ＫＭｎから該機器ＫＭ１〜ＫＭｎの機器情報及び該機器ＫＭ１〜ＫＭｎのネットワーク上の系を取得し、該取得した機器情報を、機器ＫＭ１〜ＫＭｎに関する機器情報、機器ＫＭ１〜ＫＭｎの系が該系に基づいてグループ毎に分けられて登録される管理データベースの該グループのうち該取得した系に対応するグループに登録している。
【００７０】
したがって、機器ＫＭ１〜ＫＭｎを機器ＫＭ１〜ＫＭｎの系に基づいて自動的にグループ分けすることができ、機器ＫＭ１〜ＫＭｎの管理を効率的に行うことができる。
【００７１】
また、本実施例のネットワークシステム１は、サーバＳＶの管理データベースに、グループに対応する系に対応付けて設定情報が登録され、サーバＳＶが、検索処理で検出した機器ＫＭ１〜ＫＭｎから取得した該機器ＫＭ１〜ＫＭｎの系に対応するグループに対応付けられた系の設定情報を管理データベースから取得し、該取得した設定情報を検出した機器ＫＭ１〜ＫＭｎに送信して該機器ＫＭ１〜ＫＭｎに該設定情報を登録する設定情報登録処理を行っている。
【００７２】
したがって、ネットワークＮＷに接続されている機器ＫＭ１〜ＫＭｎを該機器ＫＭ１〜ＫＭｎの系に基づいてグループ毎に管理して、該グループの機器ＫＭ１〜ＫＭｎの各種設定を適切にかつ自動的に行うことができ、管理者の負荷をより一層低減させて、ネットワークＮＷ上の各機器ＫＭ１〜ＫＭｎの利用性を向上させることができる。
【実施例４】
【００７３】
図５は、本発明の管理装置、管理プログラム及び記録媒体の第４実施例を適用したネットワークシステムのサーバによる機器管理処理を示すフローチャートである。
【００７４】
なお、本実施例は、上記第１実施例のネットワークシステム１と同様のネットワークシステムに適用したものであり、本実施例の説明においては、必要に応じて、上記第１実施例の説明で用いた符号をそのまま用いて説明する。
【００７５】
本実施例のネットワークシステム１は、機器管理者がネットワークＮＷ上の機器ＫＭ１〜ＫＭｎを管理者アカウント（管理情報）に基づいてグループ分けして管理データベースに登録して、該管理者アカウントに基づいて機器ＫＭ１〜ＫＭｎの設定を自動設定する機器管理処理を行う。
【００７６】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を該機器ＫＭ１〜ＫＭｎの管理者アカウント（管理者情報）に基づいてグループに分けて管理データベースに登録するとともに、予めグループに対応する管理者アカウントと設定情報を対にして管理データベースに登録している状態で、図５に示すように、所定タイミング毎等に、ネットワークＮＷ上の機器ＫＭ１〜ＫＭｎの検索をブロードキャストアドレスを用いて行い、全ての機器ＫＭ１〜ＫＭｎに対して検索して、機器ＫＭ１〜ＫＭｎを検出すると（ステップＳ４０１）、該検出した機器ＫＭ１〜ＫＭｎが新規の機器ＫＭ１〜ＫＭｎであるかをチェックする（ステップＳ４０２）。
【００７７】
ステップＳ４０２で、新規の機器ＫＭ１〜ＫＭｎであると、サーバＳＶは、該機器ＫＭ１〜ＫＭｎのＩＰアドレス、マックアドレス、モデル名等の機器情報と管理者アカウントを取得して、該機器ＫＭ１〜ＫＭｎの管理者アカウントを判別し（ステップＳ４０３）、該管理者アカウントに対して管理データベースに登録されているグループに該機器ＫＭ１〜ＫＭｎを自動振り分けして、該機器情報を登録する（ステップＳ４０４）。
【００７８】
次に、サーバＳＶは、該振り分けたグループの管理者アカウントに対して管理データベースに登録されている設定情報を読み出して、該設定情報を該新たな機器ＫＭ１〜ＫＭｎに対して送信して自動設定し、機器管理処理を終了する（ステップＳ４０５）。
【００７９】
ステップＳ４０２で、検出された機器ＫＭ１〜ＫＭｎが新規の機器ＫＭ１〜ＫＭｎでないときには、サーバＳＶは、該機器ＫＭ１〜ＫＭｎの今回の検索で取得した管理者アカウントと前回の検索時に登録されている管理者アカウントとの比較を行って、管理者アカウントの変更があるかチェックし（ステップＳ４０６）、管理者アカウントに変更があると、該管理者アカウントに対して管理データベースに登録されているグループに該機器ＫＭ１〜ＫＭｎを自動振り分けして、該機器情報を登録する（ステップＳ４０７）。
【００８０】
次に、サーバＳＶは、該振り分けたグループの管理者アカウントに対して管理データベースに登録されている設定情報を読み出して、該設定情報を該振り分けた機器ＫＭ１〜ＫＭｎに対して送信して自動設定し、機器管理処理を終了する（ステップＳ４０８）。
【００８１】
ステップＳ４０６で、検出された機器ＫＭ１〜ＫＭｎの管理者アカウントに変更がないときには、サーバＳＶは、設定の変更を行うことなく、そのまま機器管理処理を終了する。
【００８２】
例えば、ネットワークＮＷの管理者が、管理者ａと管理者ｂの２人の管理者がいて、管理者ａが、グループＡを管理し、管理者ｂが、グループＢを管理している場合、検出された機器ＫＭ１〜ＫＭｎの管理者アカウントが管理者ａであると、その機器ＫＭ１〜ＫＭｎをグループＡに自動的に振り分け、検出された機器ＫＭ１〜ＫＭｎの管理者アカウントが管理者ｂであると、その機器ＫＭ１〜ＫＭｎをグループＢに自動的に振り分ける。
【００８３】
このように、本実施例のネットワークシステム１は、サーバＳＶが、ネットワークＮＷ上の機器ＫＭ１〜ＫＭｎを検索して、検出した機器ＫＭ１〜ＫＭｎから該機器ＫＭ１〜ＫＭｎの機器情報及び管理者アカウントを取得し、該取得した機器情報を、機器ＫＭ１〜ＫＭｎに関する機器情報、管理者アカウントが該管理者アカウントに基づいてグループ毎に分けられて登録される管理データベースの該グループのうち該取得した管理者アカウントに対応するグループに登録している。
【００８４】
したがって、機器ＫＭ１〜ＫＭｎを管理者アカウントに基づいて自動的にグループ分けすることができ、機器ＫＭ１〜ＫＭｎの管理を効率的に行うことができる。
【００８５】
また、本実施例のネットワークシステム１は、サーバＳＶの管理データベースが、グループに対応付けて設定情報が登録され、サーバＳＶが、検索処理で検出した機器ＫＭ１〜ＫＭｎから取得した管理者アカウントに対応するグループに対応付けられた管理者アカウントの設定情報を管理データベースから取得し、該取得した設定情報を検出した機器ＫＭ１〜ＫＭｎに送信して該機器ＫＭ１〜ＫＭｎに該設定情報を登録する設定情報登録処理を行っている。  
【００８６】
したがって、ネットワークＮＷに接続されている機器ＫＭ１〜ＫＭｎを管理者アカウントに基づいてグループ毎に管理して、該グループの機器ＫＭ１〜ＫＭｎの各種設定を適切にかつ自動的に行うことができ、管理者の負荷をより一層低減させて、ネットワークＮＷ上の各機器ＫＭ１〜ＫＭｎの利用性を向上させることができる。
【実施例５】
【００８７】
図６は、本発明の管理装置、管理プログラム及び記録媒体の第５実施例を適用したネットワークシステムのサーバによる機器管理処理を示すフローチャートである。
【００８８】
なお、本実施例は、上記第１実施例のネットワークシステム１と同様のネットワークシステムに適用したものであり、本実施例の説明においては、必要に応じて、上記第１実施例の説明で用いた符号をそのまま用いて説明する。
【００８９】
本実施例のネットワークシステム１は、ネットワークＮＷ上の機器ＫＭ１〜ＫＭｎをネットワークの系に基づいてグループ分けして管理データベースに登録してグループ毎に管理するが、機器ＫＭ１〜ＫＭｎ全体に対して、選択に応じて、グループ毎に該グループの系に基づいて機器ＫＭ１〜ＫＭｎの設定を自動設定し、または、自動設定を拒否する機器管理処理を行う。
【００９０】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を該機器ＫＭ１〜ＫＭｎのネットワークの系に基づいてグループに分けて管理データベースに登録するとともに、予めグループに対応する系と設定情報を対にして管理データベースに登録している状態で、図６に示すように、所定タイミング毎等に、ネットワークＮＷ上の機器ＫＭ１〜ＫＭｎの検索をブロードキャストアドレスを用いて行い、全ての機器ＫＭ１〜ＫＭｎに対して検索して、機器ＫＭ１〜ＫＭｎを検出すると（ステップＳ５０１）、該検出した機器ＫＭ１〜ＫＭｎが新規の機器ＫＭ１〜ＫＭｎであるかをチェックする（ステップＳ５０２）。
【００９１】
ステップＳ５０２で、新規の機器ＫＭ１〜ＫＭｎであると、サーバＳＶは、機器ＫＭ１〜ＫＭｎ全体に対してグループの自動振り分けを行う設定となっているかチェックする（ステップＳ５０３）。このグループの自動振り分けを行うか否かの設定は、サーバＳＶの入出力部からの操作によって、管理者が適宜設定して管理データベースに登録することができ、サーバＳＶは、この設定状態を参照して、グループの自動振り分けを行う設定となっているかチェックする。
【００９２】
ステップＳ５０３で、グループ自動振り分けを行う設定となっているときには、サーバＳＶは、該新規の機器ＫＭ１〜ＫＭｎのＩＰアドレス、マックアドレス、モデル名等の機器情報と系（ネットワーク上の系）を取得して、該機器ＫＭ１〜ＫＭｎの系を判別し（ステップＳ５０４）、該系に対して管理データベースに登録されているグループに該機器ＫＭ１〜ＫＭｎを自動振り分けして、該機器情報を登録する（ステップＳ５０５）。
【００９３】
次に、サーバＳＶは、該振り分けたグループの系に対して管理データベースに登録されている設定情報を読み出して、該設定情報を該新たな機器ＫＭ１〜ＫＭｎに対して送信して自動設定し、機器管理処理を終了する（ステップＳ５０６）。
【００９４】
ステップＳ５０３で、グループの自動振り分けを行う設定とはなっていないときには、サーバＳＶは、該機器ＫＭ１〜ＫＭｎはどのグループにも属さないものとして設定して、該機器ＫＭ１〜ＫＭｎの系を判別し（ステップＳ５０７）、該系に対して管理データベースに登録されている設定情報を読み出して、該設定情報を該新たな機器ＫＭ１〜ＫＭｎに対して送信して自動設定し、機器管理処理を終了する（ステップＳ５０８）。
【００９５】
ステップＳ５０２で、検出された機器ＫＭ１〜ＫＭｎが新規の機器ＫＭ１〜ＫＭｎでないときには、サーバＳＶは、機器ＫＭ１〜ＫＭｎの再設定を行う設定となっているかチェックする（ステップＳ５０９）。この既登録の機器ＫＭ１〜ＫＭｎの再設定を行う否かの設定は、サーバＳＶの入出力部からの操作によって、管理者が適宜設定して管理データベースに登録することができ、サーバＳＶは、この設定状態を参照して、機器ＫＭ１〜ＫＭｎの再設定を行う設定となっているかチェックする。
【００９６】
ステップＳ５０９で、機器ＫＭ１〜ＫＭｎの再設定を行う設定となっているときには、サーバＳＶは、上記同様に、管理データベースのグループ自動振り分けの設定状態を参照することで、グループの自動振り分けを行う設定となっているかチェックし（ステップＳ５１０）、自動振り分けを行う設定となっていると、該機器ＫＭ１〜ＫＭｎの今回の検索で取得した系と前回の検索時に登録されている系との比較を行って、系の変更があるかチェックする（ステップＳ５１１）。
【００９７】
ステップＳ５１１で、系に変更があると、サーバＳＶは、該系に対して管理データベースに登録されているグループに該機器ＫＭ１〜ＫＭｎを自動振り分けして、該機器情報を登録し（ステップＳ５１２）、該振り分けたグループの系に対して管理データベースに登録されている設定情報を読み出して、該設定情報を該振り分けた機器ＫＭ１〜ＫＭｎに対して送信して自動設定し、機器管理処理を終了する（ステップＳ５１３）。
【００９８】
ステップＳ５１１で、検出された機器ＫＭ１〜ＫＭｎの系に変更がないときには、サーバＳＶは、設定の変更を行うことなく、そのまま機器管理処理を終了する。
【００９９】
また、ステップＳ５１０で、グループの自動振り分けを行わない設定となっているときには、サーバＳＶは、該検出した機器ＫＭ１〜ＫＭｎを従来のグループ設定のままにして、該機器ＫＭ１〜ＫＭｎの今回の検索で取得した系と前回の検索時に登録されている系との比較を行って、系の変更があるかチェックし（ステップＳ５１４）、系に変更があると、該変更後の系に対して管理データベースに登録されている設定情報を読み出して、該設定情報を該系に変更のあった機器ＫＭ１〜ＫＭｎに対して送信して自動設定し、機器管理処理を終了する（ステップＳ５１５）。
【０１００】
ステップＳ５１４で、検出された機器ＫＭ１〜ＫＭｎの系に変更がないときには、サーバＳＶは、設定の変更を行うことなく、そのまま機器管理処理を終了し、ステップＳ５０９で、機器ＫＭ１〜ＫＭｎの再設定を行わないときには、グループの振り分け及び設定の変更を行うことなく、そのまま機器管理処理を終了する。
【０１０１】
例えば、ネットワークＮＷの管理者が、８系と１６９系の２つの系を管理しており、８系は、グループＡで管理し、１６９系は、グループＢで管理している場合、グループ振り分けを行わない設定となっているときには、検出された機器ＫＭ１〜ＫＭｎのＩＰアドレスが１３３．１３９．８．＊であっても、その機器ＫＭ１〜ＫＭｎをグループＡに設定せず、どのグループにも属さない状態とするが、グループ振り分けを行う設定となっているときには、グループＡに自動設定する。
【０１０２】
なお、上記説明では、管理者情報が機器ＫＭ１〜ＫＭｎのネットワーク上の系である場合について説明しているが、管理者情報が管理者アカウントである場合にも同様に適用することができ、さらに、管理者情報が優先順位の付けられた複数の情報、例えば、系と管理者アカウント等であっても同様に適用することができる。
【０１０３】
このように、本実施例のネットワークシステム１は、サーバＳＶが、ネットワークＮＷ上の機器ＫＭ１〜ＫＭｎをその系等の管理者情報に基づいてグループ分けして管理データベースに登録してグループ毎に管理するとともに、機器ＫＭ１〜ＫＭｎ全体に対して、選択に応じて、グループ毎に管理情報に基づいて機器ＫＭ１〜ＫＭｎの設定を自動設定し、または、自動設定を拒否する機器管理処理を行っている。
【０１０４】
したがって、機器ＫＭ１〜ＫＭｎの設定状態が不用意に変更されることを防止することができ、機器ＫＭ１〜ＫＭｎの管理を利用状況等に合わせてより一層適切に行って、利用性をより一層向上させることができる。
【実施例６】
【０１０５】
図７は、本発明の管理装置、管理プログラム及び記録媒体の第６実施例を適用したネットワークシステムのサーバによる機器管理処理を示すフローチャートである。
【０１０６】
なお、本実施例は、上記第１実施例のネットワークシステム１と同様のネットワークシステムに適用したものであり、本実施例の説明においては、必要に応じて、上記第１実施例の説明で用いた符号をそのまま用いて説明する。
【０１０７】
本実施例のネットワークシステム１は、機器ＫＭ１〜ＫＭｎの所属グループの変更操作が行われると、機器ＫＭ１〜ＫＭｎの所属の変更登録を行うとともに、該変更後のグループに対して登録されている設定情報を該機器ＫＭ１〜ＫＭｎに対して自動設定する機器管理処理を行う。
【０１０８】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を、該機器ＫＭ１〜ＫＭｎのネットワークの系に基づいて、または／及び、機器ＫＭ１〜ＫＭｎの管理者アカウントに基づいて、グループに分けて管理データベースに登録するとともに、予めグループに対応する機器ＫＭ１〜ＫＭｎのネットワークの系または／及び管理者アカウントと設定情報を対にして管理データベースに登録している状態で、図７に示すように、機器ＫＭ１〜ＫＭｎの所属グループを変更する操作が入出力部から行われると（ステップＳ６０１）、新たなグループを判断して、該新たなグループの系または管理者アカウントの設定情報を管理データベースから読み出して、該設定状態を該新たなグループに変更された機器ＫＭ１〜ＫＭｎに対して送信して、該設定情報に自動設定させる機器管理処理を行って終了する（ステップＳ６０２）。
【０１０９】
例えば、機器管理者がグループＡとグループＢで機器ＫＭ１〜ＫＭｎを管理しており、グループＡに属する機器ＫＭ１〜ＫＭｎのコメントを、「グループＡに属しています」、グループＢに属する機器ＫＭ１〜ＫＭｎのコメントを、「グループＢに属しています」に設定していた場合、グループＡに属していた機器ＫＭ１〜ＫＭｎ、例えば、機器ＫＭ１をグループＢに変更したとき、管理データベースの機器ＫＭ１のグループ登録をグループＡからグループＢに変更登録するとともに、機器ＫＭ１のコメントを「グループＢに属しています」に自動設定する。
【０１１０】
このように、本実施例のネットワークシステム１は、サーバＳＶが、管理データベースに既に登録されている機器ＫＭ１〜ＫＭｎの所属するグループを変更するグループ変更操作処理が行われると、該変更後のグループの管理情報に対して該管理データベースに登録されている設定情報を取得し、該設定情報を該グループの変更された機器ＫＭ１〜ＫＭｎに送信して該機器ＫＭ１〜ＫＭｎに該設定情報を変更登録している。
【０１１１】
したがって、機器ＫＭ１〜ＫＭｎのグループを変更した場合に、グループに合わせた設定を該機器ＫＭ１〜ＫＭｎに対して自動的に行うことができ、管理者の負担をより一層低減させて、利用性をより一層向上させることができる。
【実施例７】
【０１１２】
図８は、本発明の管理装置、管理プログラム及び記録媒体の第７実施例を適用したネットワークシステムのサーバによる機器管理処理を示すフローチャートである。
【０１１３】
なお、本実施例は、上記第１実施例のネットワークシステム１と同様のネットワークシステムに適用したものであり、本実施例の説明においては、必要に応じて、上記第１実施例の説明で用いた符号をそのまま用いて説明する。
【０１１４】
本実施例のネットワークシステム１は、ネットワークＮＷ上の機器ＫＭ１〜ＫＭｎをネットワークの系や管理者アカウント等の管理情報に基づいてグループ分けして管理データベースに登録してグループ毎に管理するが、機器ＫＭ１〜ＫＭｎそれぞれ個別に、選択に応じて、機器ＫＭ１〜ＫＭｎの設定を自動設定し、または、自動設定を拒否する機器管理処理を行う。
【０１１５】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を該機器ＫＭ１〜ＫＭｎのネットワークの系や管理者アカウント等の管理情報に基づいてグループに分けて管理データベースに登録するとともに、予めグループの管理情報と設定情報を対にして管理データベースに登録している状態で、図８に示すように、所定タイミング毎等に、ネットワークＮＷ上の機器ＫＭ１〜ＫＭｎの検索をブロードキャストアドレスを用いて行い、全ての機器ＫＭ１〜ＫＭｎに対して検索して、機器ＫＭ１〜ＫＭｎを検出すると（ステップＳ７０１）、該検出した機器ＫＭ１〜ＫＭｎが新規の機器ＫＭ１〜ＫＭｎであるかをチェックする（ステップＳ７０２）。
【０１１６】
ステップＳ７０２で、新規の機器ＫＭ１〜ＫＭｎであると、サーバＳＶは、該機器ＫＭ１〜ＫＭｎ個別に対してグループの自動振り分けを行う設定となっているかチェックする（ステップＳ７０３）。このグループの自動振り分けを行うか否かの設定は、サーバＳＶの入出力部からの操作によって、管理者が各機器ＫＭ１〜ＫＭｎに対して適宜設定して管理データベースに登録することができ、サーバＳＶは、この機器ＫＭ１〜ＫＭｎ毎の設定状態を参照して、グループの自動振り分けを行う設定となっているかチェックする。
【０１１７】
ステップＳ７０３で、グループ自動振り分けを行う設定となっているときには、サーバＳＶは、該新規の機器ＫＭ１〜ＫＭｎのＩＰアドレス、マックアドレス、モデル名等の機器情報と管理情報を取得して、該管理情報が該機器ＫＭ１〜ＫＭｎの系（ネットワーク上の系）または該機器ＫＭ１〜ＫＭｎの管理者アカウントのいずれであるかの管理環境を判別し（ステップＳ７０４）、該管理環境、すなわち、系または管理者アカウントに対して管理データベースに登録されているグループに該機器ＫＭ１〜ＫＭｎを自動振り分けして、該機器情報を登録する（ステップＳ７０５）。
【０１１８】
次に、サーバＳＶは、該振り分けたグループの管理情報に対して管理データベースに登録されている設定情報を読み出して、該設定情報を該新たな機器ＫＭ１〜ＫＭｎに対して送信して自動設定し、機器管理処理を終了する（ステップＳ７０６）。
【０１１９】
ステップＳ７０３で、グループの自動振り分けを行わないときには、サーバＳＶは、該新規の機器ＫＭ１〜ＫＭｎをどのグループにも属さないものとし、該機器ＫＭ１〜ＫＭｎの管理環境（管理情報）を判別し（ステップＳ７０７）、該管理情報に対して管理データベースに登録されている設定情報を読み出して、該設定情報を該新たな機器ＫＭ１〜ＫＭｎに対して送信して自動設定し、機器管理処理を終了する（ステップＳ５０８）。
【０１２０】
ステップＳ７０２で、検出された機器ＫＭ１〜ＫＭｎが新規の機器ＫＭ１〜ＫＭｎでないときには、サーバＳＶは、該機器ＫＭ１〜ＫＭｎに対して機器ＫＭ１〜ＫＭｎの再設定を行う設定となっているかチェックする（ステップＳ７０９）。この機器ＫＭ１〜ＫＭｎの再設定を行う否かの設定は、サーバＳＶの入出力部からの操作によって、管理者が適宜機器ＫＭ１〜ＫＭｎ毎に設定して管理データベースに登録することができ、サーバＳＶは、この機器ＫＭ１〜ＫＭｎ毎の設定状態を参照して、機器ＫＭ１〜ＫＭｎの再設定を行う設定となっているかチェックする。
【０１２１】
ステップＳ５０９で、機器ＫＭ１〜ＫＭｎの再設定を行う設定となっているときには、サーバＳＶは、上記同様に、管理データベースの該機器ＫＭ１〜ＫＭｎに対するグループ自動振り分けの設定状態を参照することで、グループの自動振り分けを行う設定となっているかチェックし（ステップＳ７１０）、自動振り分けを行う設定となっていると、該機器ＫＭ１〜ＫＭｎの今回の検索で取得した管理環境（管理情報）と前回の検索時に登録されている管理環境（管理情報）との比較を行って、管理環境（管理情報）の変更があるかチェックする（ステップＳ７１１）。この管理環境（管理情報）の変更の有無は、該機器ＫＭ１〜ＫＭｎの管理環境が、管理情報として、系と管理者アカウントの一方のみが設定されているときには、その系または管理者アカウントに変更があったかをチェックし、系と管理者アカウントの双方が設定されていてその優先順位が設定されているときには、系内または管理者アカウント内での設定変更だけでなく、系と管理者アカウントの優先順位の変更をもチェックする。
【０１２２】
ステップＳ７１１で、管理環境に変更があると、サーバＳＶは、該変更後の管理環境（管理情報）に対して管理データベースに登録されているグループに該機器ＫＭ１〜ＫＭｎを自動振り分けして、該機器情報を登録し（ステップＳ７１２）、該振り分けたグループの管理環境（管理情報）に対して管理データベースに登録されている設定情報を読み出して、該設定情報を該新たな機器ＫＭ１〜ＫＭｎに対して送信して自動設定し、機器管理処理を終了する（ステップＳ７１３）。
【０１２３】
ステップＳ７１１で、検出された機器ＫＭ１〜ＫＭｎの管理環境に変更がないときには、サーバＳＶは、設定の変更を行うことなく、そのまま機器管理処理を終了する。
【０１２４】
また、ステップＳ７１０で、グループの自動振り分けを行わない設定となっているときには、サーバＳＶは、該機器ＫＭ１〜ＫＭｎのグループを以前のままとし、該機器ＫＭ１〜ＫＭｎの今回の検索で取得した管理環境（管理情報）と前回の検索時に登録されている管理環境（管理情報）との比較を行って、管理環境（管理情報）の変更があるかチェックし（ステップＳ７１４）、管理環境（管理情報）に変更があると、該変更後の管理環境（管理情報）に対して管理データベースに登録されている設定情報を読み出して、該設定情報を該検出された機器ＫＭ１〜ＫＭｎに対して送信して自動設定し、機器管理処理を終了する（ステップＳ７１５）。
【０１２５】
ステップＳ７１４で、検出された機器ＫＭ１〜ＫＭｎの管理環境（管理情報）に変更がないときには、サーバＳＶは、設定の変更を行うことなく、そのまま機器管理処理を終了し、ステップＳ７０９で、機器ＫＭ１〜ＫＭｎの再設定を行わないときには、グループの振り分け及び設定の変更を行うことなく、そのまま機器管理処理を終了する。
【０１２６】
このように、本実施例のネットワークシステム１は、サーバＳＶが、ネットワークＮＷ上の機器ＫＭ１〜ＫＭｎをネットワークの系や管理者アカウント等の管理者情報に基づいてグループ分けして管理データベースに登録してグループ毎に管理するとともに、機器ＫＭ１〜ＫＭｎそれぞれ個別に、選択に応じて、管理情報に基づいて機器ＫＭ１〜ＫＭｎの設定を自動設定し、または、自動設定を拒否している。
【０１２７】
したがって、機器ＫＭ１〜ＫＭｎの設定状態が不用意に変更されることを機器ＫＭ１〜ＫＭｎ個別に防止することができ、機器ＫＭ１〜ＫＭｎの管理を利用状況等に合わせてより一層適切に行って、利用性をより一層向上させることができる。
【０１２８】
また、本実施例のネットワークシステム１は、複数の機器ＫＭ１〜ＫＭｎに対して所属グループの変更操作が行われると、機器ＫＭ１〜ＫＭｎ全体及びそれぞれ個別に、選択に応じて、機器ＫＭ１〜ＫＭｎの所属の変更登録を行うとともに、該変更後のグループの管理情報に対して設定されている設定情報を該機器ＫＭ１〜ＫＭｎに対して自動設定し、または、自動設定を拒否する機器管理処理を行う。
【０１２９】
すなわち、サーバＳＶは、予めブロードキャストアドレスを用いてネットワークＮＷ上の機器ＫＭ１〜ＫＭｎの検索行って、該検索した機器ＫＭ１〜ＫＭｎの機器情報を、該機器ＫＭ１〜ＫＭｎのネットワークの系に基づいて、または／及び、機器ＫＭ１〜ＫＭｎの管理者アカウントに基づいて、グループに分けて管理データベースに登録するとともに、予めグループ毎にそのネットワークの系または／及び管理者アカウントと設定情報を対にして管理データベースに登録している状態で、図９に示すように、複数の機器ＫＭ１〜ＫＭｎに対して所属グループを変更する操作が入出力部から行われると（ステップＳ８０１）、該全ての機器ＫＭ１〜ＫＭｎに対して自動設定を行う全機器自動設定を行う設定となっているかチェックする（ステップＳ８０３）。このグループの全機器自動設定を行うか否かの設定は、上記同様に、サーバＳＶの入出力部からの操作によって、管理者が全ての機器ＫＭ１〜ＫＭｎに対して適宜設定して管理データベースに登録することができ、サーバＳＶは、この全機器自動設定の可否の設定状態を参照して、自動設定を行う設定となっているかチェックする。
【０１３０】
ステップＳ８０２で、全機器自動設定を行わないときには、サーバＳＶは、自動設定処理を何ら行うことなく、そのまま機器管理処理を終了する。
【０１３１】
ステップＳ８０２で、全機器自動設定を行うときには、サーバＳＶは、該機器ＫＭ１〜ＫＭｎ個別に対して機器ＫＭ１〜ＫＭｎの自動設定する機器個別自動設定を行う設定となっているかチェックする（ステップＳ８０３）。この機器ＫＭ１〜ＫＭｎの機器個別自動設定を行うか否かの設定は、サーバＳＶの入出力部からの操作によって、管理者が適宜機器ＫＭ１〜ＫＭｎ毎に設定して管理データベースに登録することができ、サーバＳＶは、この機器ＫＭ１〜ＫＭｎ毎の機器個別自動設定の設定状態を参照して、機器ＫＭ１〜ＫＭｎの機器個別自動設定を行う設定となっているかチェックする。
【０１３２】
ステップＳ８０３で、機器個別自動設定を行わないときには、サーバＳＶは、設定の変更を行うことなく、そのまま機器管理処理を終了する。
【０１３３】
ステップＳ８０３で、機器個別自動設定を行う設定となっているときには、サーバＳＶは、該変更されたグループの管理情報（系または管理者アカウント）に対して管理データベースに登録されている設定情報を読み出して、該設定情報を該変更された個別の機器ＫＭ１〜ＫＭｎに対して送信して自動設定し、機器管理処理を終了する（ステップＳ８０４）。
【０１３４】
このように、本実施例のネットワークシステム１は、複数の機器ＫＭ１〜ＫＭｎに対してその所属グループの変更操作が行われると、機器ＫＭ１〜ＫＭｎ全体及びそれぞれ個別に、選択に応じて、該変更後のグループの管理情報に対して設定されている設定情報を該機器ＫＭ１〜ＫＭｎに対して自動設定し、または、自動設定を拒否する機器管理処理を行う。
【０１３５】
したがって、機器ＫＭ１〜ＫＭｎのグループを変更した場合に、変更後のグループの設定を該機器ＫＭ１〜ＫＭｎに対して不用意に自動的に行うことを防止しつつ、機器ＫＭ１〜ＫＭｎの設定を利用状況等に合わせてより適切に行って、管理者の負担をより一層低減させつつ、利用性をより一層向上させることができる。  
【０１３６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１３７】
本発明は、ネットワーク上の機器の設定を自動的に行う管理装置、管理プログラム及び記録媒体に適用することができる。
【図面の簡単な説明】
【０１３８】
【図１】本発明の管理装置、管理プログラム及び記録媒体の第１実施例を適用したネットワークシステムのブロック構成図。
【図２】図１のサーバによる機器管理処理を示すフローチャート。
【図３】本発明の管理装置、管理プログラム及び記録媒体の第２実施例を適用したネットワークシステムのサーバによる機器管理処理を示すフローチャート。
【図４】本発明の管理装置、管理プログラム及び記録媒体の第３実施例を適用したネットワークシステムのサーバによる機器管理処理を示すフローチャート。
【図５】本発明の管理装置、管理プログラム及び記録媒体の第４実施例を適用したネットワークシステムのサーバによる機器管理処理を示すフローチャート。
【図６】本発明の管理装置、管理プログラム及び記録媒体の第５実施例を適用したネットワークシステムのサーバによる機器管理処理を示すフローチャート。
【図７】本発明の管理装置、管理プログラム及び記録媒体の第６実施例を適用したネットワークシステムのサーバによる機器管理処理を示すフローチャート。
【図８】本発明の管理装置、管理プログラム及び記録媒体の第７実施例を適用したネットワークシステムのサーバによる機器毎の選択に応じた機器管理処理を示すフローチャート。
【図９】本発明の管理装置、管理プログラム及び記録媒体の第７実施例を適用したネットワークシステムのサーバによる機器毎の選択に応じた機器所属グループ変更に伴う機器管理処理を示すフローチャート。
【符号の説明】
【０１３９】
１  ネットワークシステム
ＮＷ  ネットワーク
ＳＶ  サーバ
ＫＭ１〜ＫＭｎ  機器
【図１】
2008065637.tif 000003
【図２】
2008065637.tif 000004
【図３】
2008065637.tif 000005
【図４】
2008065637.tif 000006
【図５】
2008065637.tif 000007
【図６】
2008065637.tif 000008
【図７】
2008065637.tif 000009
【図８】
2008065637.tif 000010
【図９】
2008065637.tif 000011